(57)【要約】【課題】周波数成分特性に変更をもたらす調整操作と周波数成分特性との関係を把握し易くする。【解決手段】各入出力チャンネルにおける信号の周波数成分の特性を変更する変更手段に対して供給された入力信号と、変更手段から出力された出力信号の両信号を、指定手段により指定されたいずれかの入出力チャンネルに関して取り出す。取り出された入力信号及び出力信号をそれぞれ周波数分析し、それぞれの分析結果をモニタすることから、ユーザは入力信号と出力信号とを比較することができる。こうすると、ユーザは信号の周波数成分特性に変更をもたらす調整操作と周波数成分特性との関係を把握し易くなり、例えば信号の周波数成分の特性を変更することによるミキシング処理後の混合信号への影響の程度を入力信号と出力信号との比較により簡単に確認できるようになる。【選択図】        図３
2005051320.tif 000002
【特許請求の範囲】
【請求項１】
入力チャンネルを介して供給された複数の信号を適宜に組み合わせてミキシング処理し、生成した混合信号を出力チャンネルを介して出力するディジタルミキシング装置であって、
前記入力チャンネル及び出力チャンネルの少なくとも一方に設けられ、該チャンネルの信号の周波数成分の特性を変更する変更手段と、
モニタすべきチャンネルを指定する指定手段と、
前記指定手段により指定されたチャンネルに関する前記変更手段の入力信号及び出力信号の各々を取り出す信号取得手段と、
前記取り出した入力信号及び出力信号とをそれぞれ周波数分析する分析手段とを具えてなり、
前記分析手段による分析結果をモニタできるようにしたことを特徴とするディジタルミキシング装置。
【請求項２】
前記指定手段は、
所望のチャンネルを指定するチャンネル指定手段と、
モニタを行うか否かを指定するモニタ指定手段とを具えてなり、
前記信号取得手段は前記モニタ指定手段でモニタを行うことが指定された時、前記チャンネル指定手段で指定されたチャンネルに関する前記変更手段の入力信号及び出力信号の各々を取り出すことを特徴とする請求項１に記載のディジタルミキシング装置。
【発明の詳細な説明】
【０００１】
【発明の属する技術分野】
この発明は複数のオーディオ信号をミキシングすることにより任意の混合信号を生成するディジタルミキシング装置に関し、特にミキシング調整に際して信号の周波数成分特性に変更をもたらすような調整操作を行う場合に、ユーザが調整操作と周波数成分特性との関係を把握し易くしたディジタルミキシング装置に関する。
【０００２】
【従来の技術】
従来から、コンサート会場やクラブなどにおいてアーティストの演奏を最も的確に表現していると思われる状態などに調整するために、多数のマイクロフォンや複数台の電気・電子楽器などから入力されたアナログオーディオ信号をディジタル信号へと変換し、変換後の各ディジタル信号を適宜にミキシング処理して混合信号（ミキシング信号とも呼ぶ）を生成するディジタルミキシング（ミキサー）装置が知られている。ディジタルミキサーは、一般的に、アナログオーディオ信号を入力してディジタル信号に変換する機能を有する複数の入力チャンネルと、変換されたディジタル信号をミキシング処理するＤＳＰ（ディジタルシグナルプロセッサ）などのディジタル信号処理部と、該ＤＳＰにおけるミキシング処理に関する各種設定操作を行う操作部（以下、ミキシングコンソールと呼ぶ）と、該ＤＳＰによるミキシング処理後にミキシング信号を出力する複数の出力チャンネルとにより構成されている。前記ミキシングコンソールは複数の入力チャンネルと複数の出力チャンネルそれぞれの信号を制御するために入力チャンネル用と出力チャンネル用それぞれのコントローラを各チャンネル毎に具えており、ユーザは各チャンネル毎のコントローラを適宜に操作することでミキシング調整を行うことができるようになっている。
【０００３】
【発明が解決しようとする課題】
ミキシング調整の一機能として、所定の周波数帯域毎に信号の周波数成分の特性を変更するイコライザ処理がある。所望のイコライザ調整を行うためには、ユーザはミキシングコンソール上に配置された関連する操作子を操作して、所定の周波数帯域（バンド）毎の設定を微妙に組み合わせながら周波数成分の特性を変更することが必要である。しかし、従来のディジタルミキシング装置では、関連する操作子をどの程度操作すれば、イコライザをどの程度かけることができるのか（つまり所望の周波数成分の特性をどの程度可変できるか）が非常に分かりづらいものであったことから、経験の少ないユーザなどにとって周波数成分の特性を適切に変更することは非常に難しいことである、という問題点があった。このような問題はイコライザ処理に限らず、エフェクト処理など、被処理信号の周波数成分の特性を変更する、若しくは変更する可能性がある処理をディジタルミキシング装置で実施する場合においても起こり得る。
【０００４】
この発明は、上述の点に鑑みてなされたもので、ミキシング調整に際して信号の周波数成分特性に変更をもたらすような調整操作を行う場合に、調整操作と周波数成分特性との関係を把握し易くしたディジタルミキシング装置を提供することを目的とする。
【０００５】
【課題を解決するための手段】
本発明に係るディジタルミキシング装置は、入力チャンネルを介して供給された複数の信号を適宜に組み合わせてミキシング処理し、生成した混合信号を出力チャンネルを介して出力するディジタルミキシング装置であって、前記入力チャンネル及び出力チャンネルの少なくとも一方に設けられ、該チャンネルの信号の周波数成分の特性を変更する変更手段と、モニタすべきチャンネルを指定する指定手段と、前記指定手段により指定されたチャンネルに関する前記変更手段の入力信号及び出力信号の各々を取り出す信号取得手段と、前記取り出した入力信号及び出力信号とをそれぞれ周波数分析する分析手段とを具えてなり、前記分析手段による分析結果をモニタできるようにしたことを特徴とする。
【０００６】
この発明に係るディジタルミキシング装置によれば、入力チャンネル及び出力チャンネルの少なくとも一方に設けられた変更手段によって信号の周波数成分の特性が変更される前の信号である入力信号と、信号の周波数成分の特性が変更された後の信号である出力信号のそれぞれを周波数分析し、モニタすべきチャンネル指定に基づいて該チャンネルの分析結果をモニタすることができるようになる。すなわち、ミキシング処理の際に、各入出力チャンネルにおける信号の周波数成分の特性を変更する変更手段に対し供給された入力信号と、前記変更手段から出力された出力信号の両信号を、指定手段により指定されたいずれかの入出力チャンネルに関して取り出す。そして、該取り出された入力信号及び出力信号をそれぞれ周波数分析し、それぞれの分析結果をモニタできるようにすることによって、ユーザが入力信号と出力信号とを比較することができる。こうすると、ユーザは信号の周波数成分特性に変更をもたらす調整操作と周波数成分特性との関係を把握し易くなり、例えば信号の周波数成分の特性を変更することによるミキシング処理後の混合信号への影響の程度を入力信号と出力信号との比較により確認でき、簡単に混合信号の出力調整を行うことができるようになる。
【０００７】
この発明は装置の発明として構成し実施することができるのみならず、方法の発明として構成し実施することができる。また、本発明はコンピュータまたはＤＳＰ等のプロセッサのプログラムの形態で実施することができるし、そのようなプログラムを記憶した記録媒体の形態で実施することもできる。
【０００８】
【発明の実施の形態】
以下、添付図面を参照してこの発明の一実施例について説明する。
【０００９】
図１は、この発明に係るディジタルミキシング装置（以下、単にミキサーと呼ぶ）の実施の形態を示すハード構成ブロック図である。本実施例に示すミキサーＸのハードウエア構成例はコンピュータを用いて構成されており、そこにおいて、ＣＰＵ１は入力された複数のオーディオ信号を適宜に組み合わせてミキシング信号を生成するように当該ミキサーＸ全体を制御する。なお、ディジタルオーディオ信号に対するミキシング演算等の信号処理はＣＰＵ１ではなく、信号処理用のＤＳＰ（Ｄｉｇｉｔａｌ  Ｓｉｇｎａｌ  Ｐｒｏｃｅｓｓｏｒ）３により実行される。マイクロプロセッサユニット（ＣＰＵ）１及びメモリ２からなるマイクロコンピュータは、所定の制御プログラムを含むソフトウエアを実行することにより、ミキシング調整用操作子に関連する処理やその他ミキシング処理の全体的な制御を実施する。勿論、こうしたミキサーＸ全体の制御はコンピュータソフトウエアの形態に限らず、ミキシング処理等を実行する信号処理用のＤＳＰ３とは別に構成されたＤＳＰ（図示せず）などによって処理されるマイクロプログラムの形態でも実施可能であり、また、この種のプログラムの形態に限らず、ディスクリート回路又は集積回路若しくは大規模集積回路等を含んで構成された専用ハードウエア装置の形態で実施してもよい。
【００１０】
前記ＣＰＵ１に対しては通信バス（例えば、データ及びアドレスバス等）１Ｄを介して、メモリ２、ＤＳＰ３、ミキシングコンソール４がそれぞれ接続される。メモリ２はＣＰＵ１により実行あるいは参照される各種プログラムや各種データ等を格納するＲＯＭ、あるいはＣＰＵ１が所定のプログラムを実行する際に発生する各種データなどを一時的に記憶するワーキングメモリ又は現在実行中のプログラムやそれに関連するデータを記憶するメモリ等として使用されるＲＡＭなどである。ＤＳＰ３はＣＰＵ１とは独立してミキシング処理を実行するミキシング処理用の信号処理回路であって、当該ミキサーＸ外部に接続された図示しない外部入力機器から入力インタフェース３ａを介して複数の信号が入力される。すなわち、入力インタフェース３ａは外部入力機器から複数の入力チャンネル分のオーディオ信号を取得するためのインタフェース機器である。ＤＳＰ３で実行されるミキシング処理に対する各種設定（ミキシング操作）はミキシングコンソール４のコントローラ４ａをユーザが操作することにより行われ、ＤＳＰ３ではミキシングコンソール４からの各種設定データに基づいて該取得した複数のオーディオ信号を選択的に組み合わせてミキシングするなどの信号処理を実行する。
【００１１】
ＤＳＰ３により生成されたミキシング処理済みの信号は、出力インタフェース３ｂを介して当該ミキサーＸ外部に接続された図示しない外部出力機器に出力される。また、ＤＳＰ３は生成したミキシング処理済みの信号を出力インタフェース３ｂを介して外部出力機器に対して出力することができるだけでなく、ミキシングコンソール４からの指定に基づき所望の入力チャンネル又は出力チャンネルにおいて処理される周波数成分の特性変更前の信号波形（ｐｒｅＥＱｏｕｔ）及び周波数成分の特性変更後の信号波形（ｐｏｓｔＥＱｏｕｔ）を選択的に当該ミキサーＸ外部に接続されたスペクトルアナライザ５に対してモニタ出力として出力することができるようになっている。これについては後述する。スペクトルアナライザ５（略してスペアナと呼ぶこともある）は入力された信号波形のスペクトルを分析し、分析した結果を該スペクトルアナライザ５に接続された専用のディスプレイ６に棒グラフなどの適宜の表示形態でスペクトルなどの周波数成分の特性を表示する分析器である。この実施例ではＤＳＰ３から出力される２つのモニタ出力（ｐｒｅＥＱｏｕｔ及びｐｏｓｔＥＱｏｕｔ）のそれぞれを個別に分析した結果を表示したり、前記２つのモニタ出力の差を分析した結果などを表示したりする。勿論、前記スペクトルアナライザ５は当該ミキサーＸに外部接続される独立した機器に限らず、スペクトルアナライザ５を上記したような信号波形の分析及び分析結果を表示する機能を有する専用のＤＳＰとして構成し、当該ミキサーＸ内部に配置して上記分析処理を実行させるようにしてもよい。また、そうした場合には当該ミキサーＸ本体のミキシングコンソール４上に配置されたディスプレイ４ｂに分析結果を表示するようにすればよい。
【００１２】
ミキシングコンソール４上には、コントローラ４ａとディスプレイ４ｂとが少なくとも配置される。ミキシングコンソール４上に配置されるディスプレイ４ｂは、ＣＰＵ１の制御状態、コントローラ４ａと同様の擬似的なコントローラ表示、あるいは現在設定されている当該ミキサーにおける各種スイッチの設定状態の一括表示などを表示するための、ミキサーＸ本体の所定位置に配置された例えば液晶表示パネル（ＬＣＤ）やＣＲＴなどで構成される装置である。ミキシングコンソール４上に配置されるコントローラ４ａは、ＤＳＰ３で実行されるミキシング処理に対する各種設定（編集操作）等を行うための、フェーダなどの複数の操作子からなる操作子群を含むコントローラである。この実施例においてはコントローラ４ａとして、入出力チャンネルに対応するようにして複数の操作子群がミキシングコンソール４上に構成される。こうしたミキシングコンソール４上のコントローラ４ａの一実施例を示すと、図２に示すようになる。図２はコントローラ４ａの一実施例を示す概念図であり、２つの入力チャンネルＩＮｃｈ１、ＩＮｃｈ２の操作子構成が例示されている。
【００１３】
図２から理解できるように、コントローラ４ａは大きく分けて１個の「イコライザモニタ出力（ＥＱＯＵＴ）」スイッチＳＷ１と、各入力チャンネル及び出力チャンネル毎に設けられた複数個の操作子群ＯＰとにより構成される。「イコライザモニタ出力（ＥＱＯＵＴ）」スイッチＳＷ１はイコライザ処理などの周波数成分の特性の変更前後の信号をＤＳＰ３からスペクトルアナライザ５に対して出力し、スペクトルアナライザ５での周波数分析及びそれに伴う周波数成分の特性の表示を実行するように指示するためのスイッチである。すなわち、当該「イコライザモニタ出力（ＥＱＯＵＴ）」スイッチＳＷ１をオン状態にすることによってスペクトルアナライザ５での周波数分析が実行され、ユーザは分析結果から周波数成分の特性の変更前後の信号を表示により比較することができるようになる。各チャンネル毎の操作子群ＯＰは、当該チャンネルを選択するための「選択（ＳＥＬ）」スイッチＳＳ、「パン（ＰＡＮ）」設定操作子Ｃ１、イコライザにおける各帯域毎の周波数成分の特性を調整するための各設定操作子（「ハイ（ＨＩＧＨ）」設定操作子Ｃ２、「ミドル（ＭＩＤ）」設定操作子Ｃ３、「ロー（ＬＯＷ）」設定操作子Ｃ４）、係数あるいはレベル調整などに用いられるフェーダーＦなどの各種操作子を複数含む。
【００１４】
「選択（ＳＥＬ）」スイッチＳＳは当該ミキサーＸのミキシングコンソール４において、単一のチャンネルのみを選択／指定するためのスイッチであり、或るチャンネルのスイッチＳＳがオンされるとそのチャンネルが選択／指定されるようになり、それ以前に選択／指定されていたチャンネルの選択／指定がキャンセルされる、いわゆる択一式のチャンネル選択を可能とするスイッチである。「パン（ＰＡＮ）」設定操作子Ｃ１は、パンコントロールのための操作子である。「ハイ（ＨＩＧＨ）」設定操作子Ｃ２、「ミドル（ＭＩＤ）」設定操作子Ｃ３、「ロー（ＬＯＷ）」設定操作子Ｃ４は、当該チャンネルのイコライザにおける高周波数帯域、中周波数帯域、低周波数帯域毎に周波数調整をそれぞれ行うための操作子である。すなわち、入出力チャンネルにおける各信号の周波数成分の特性の変更を実現するためのパラメータ設定用のスイッチである。フェーダＦは個々の入出力チャンネルに割り当てられている信号に対して、例えば音量などに関する入力レベルや出力レベルをその操作量に応じて制御するためのものである。上記したような各スイッチや操作子などの操作状態に応じて生成された制御データはディスプレイ４ｂやＤＳＰ３などに送られて、該制御データに基づいてディスプレイ４ｂ上での画面表示やＤＳＰ３によるミキシング処理などが実行される。
【００１５】
なお、コントローラ４ａにおける操作子群ＯＰに設けられる操作子・スイッチ類については図２に示したものはあくまでも例示にすぎず、実際は更に他の操作子・スイッチなどが多数設けられる。例えば、入力チャンネル用操作子群ＯＰにあっては、該入力チャンネルの信号を送出すべき（ミックスすべき）ミックスバスを選択するスイッチが更に設けられる。また、出力チャンネル用操作子群ＯＰのうち該出力チャンネルでエフェクト付与処理を行うものにあっては、エフェクト設定用操作子（例えばディレイを調節するための操作子）などが更に設けられている。
なお、ＣＰＵ１により実行される制御プログラム等はＲＯＭ内に記憶されたもののみならず、ハードディスク（ＨＤ）、コンパクトディスク（ＣＤ−ＲＯＭ・ＣＤ−ＲＡＭ）、光磁気ディスク（ＭＯ）、あるいはＤＶＤ（Ｄｉｇｉｔａｌ  Ｖｅｒｓａｔｉｌｅ  Ｄｉｓｋ）等の外部記憶媒体に記憶されたものを利用するようにしてよい。また、図示しない通信インターフェースを介して適宜のサーバコンピュータからダウンロードし、図示しないハードディスク等に保存したものを利用することも可能である。こうした場合、該制御プログラム等は、該プログラムを実行すべき時にＲＡＭに転送されてＣＰＵ１の制御の下で実行される。これにより、各種プログラムの追加やバージョンアップ等が容易に行える。
【００１６】
なお、本発明に係るディジタルミキシング装置は上述の実施例に示したようにＤＳＰ３やミキシングコンソール４などを１つのミキサーＸ本体に内蔵したものに限らず、それぞれが別々に構成され、通信ネットワーク等を用いて各装置を接続するように構成されたものであってもよい。さらに、本発明に係るディジタルミキシング装置は専用のミキシング装置（ミキサー）の形態に限らず、パーソナルコンピュータ、携帯電話等の携帯型通信端末、電子楽器やカラオケ装置又は電子ゲーム装置、あるいはその他のマルチメディア機器等、任意の製品応用形態をとっているものであってもよい。携帯型通信端末に適用した場合、端末のみで所定の機能が完結している場合に限らず、機能の一部をサーバコンピュータ側に持たせ、端末とサーバコンピュータとからなるシステム全体として所定の機能を実現するようにしてもよい。
【００１７】
次に、この発明に係るディジタルミキシング装置におけるＤＳＰ３の動作として、所望のチャンネルにおける周波数成分の特性変更前の信号波形（ｐｒｅＥＱｏｕｔ）及び周波数成分の特性変更後の信号波形（ｐｏｓｔＥＱｏｕｔ）を選択的にスペクトルアナライザ５に対して出力する動作について説明する。図３（ａ）は、ＤＳＰ３におけるミキシング処理の動作を説明するための機能ブロック図である。図３（ｂ）は、該ミキシング処理における各入出力チャンネルのイコライザの入力信号及び出力信号を選択的にモニタするための、本発明にかかる一実施例の機能的ブロック図である。
【００１８】
まず、当該ＤＳＰ３により実行されるミキシング処理の動作手順について、図３（ａ）を用いて簡単に説明する。外部入出力機器などから複数の入力チャンネル毎に入力されたアナログオーディオ信号はディジタル信号に変換された後、入力インタフェース３ａ（図１参照）を介してＤＳＰ３に供給される。ここでは、入力チャンネル１〜入力チャンネルｎのｎ個の信号が供給される例を示した。ＤＳＰ３では信号が供給されると、各入力チャンネル毎に設けられた入力チャンネル信号用のイコライザ処理部ＩＥ１〜ＩＥｎにより、ミキシングコンソール４上のコントローラ４ａの操作子群ＯＰの各設定内容に応じて各入力信号の周波数成分の特性を変更し、その他信号処理部Ａ１〜Ａｎに送る。この信号処理部Ａ１〜Ａｎでは、フェーダＦ、パン設定操作子など公知の各種ミキシング設定用操作子（コントローラ４ａに含まれる操作子）の設定状態に応じて入力信号に対してミキシング演算処理（係数演算処理及びミキシングバスへの信号分配処理を含む）を行うものであり、このミキシング演算処理自体は公知であることから詳細な説明を省略する。
【００１９】
その他信号処理部Ａ１〜Ａｎの出力は、複数のミキシングバスからなるミキシングバス部ＭＢのうち、それぞれのミキシング設定に従うミキシングバスへ送出され、送出された信号が各ミキシングバス毎にミキシングされる。ミキシングバス部ＭＢによりミキシングされた各信号は、複数の出力チャンネル１〜ｍのうち各ミキシングバスに対応する所定の出力チャンネルにそれぞれ与えられる。各出力チャンネル１〜ｍに与えられたミキシング処理済みの信号は、各出力チャンネルに設けられたイコライザ処理部ＯＥ１〜ＯＥに入力され、ここで周波数成分の特性の変更や効果付与などの処理が行われる。イコライザ処理部ＯＥ１〜ＯＥから出力される信号は、外部入出力機器などに出力インタフェース３ｂ（図１参照）を介して出力される。
【００２０】
次に、図３（ｂ）を参照して本実施例に関わるイコライザモニタ機能の概略について説明する。
セレクタＳＬでは、ミキサーＸの各入出力チャンネルに設けられた、信号周波数成分の特性を可変しうる信号処理機能を持つ信号処理部（図３（ａ）の例ではイコライザ処理部ＩＥ１〜ＩＥｎ、ＯＥ１〜ＯＥｍ）の入力信号（図３（ａ）に示すイコライザ処理前の信号ｐｒｅＥＱ１〜ｐｒｅＥＱｎ、ｐｒｅＥＱ１´〜ｐｒｅＥＱｍ）及び出力信号（図３（ａ）に示すイコライザ処理後の信号ｐｏｓｔＥＱ１〜ｐｏｓｔＥＱｎ、ｐｏｓｔＥＱ１´〜ｐｏｓｔＥＱｍ）を、各チャンネル単位で択一的に選択可能なものである。セレクタＳＬにおける選択は、「イコライザモニタ出力（ＥＱＯＵＴ）」スイッチＳＷ１と「選択（ＳＥＬ）」スイッチＳＳの操作に応じて次のように行われる。モニタすべき所望の入力チャンネル又は出力チャンネルの「選択（ＳＥＬ）」スイッチＳＳをオンにし、単一の入力チャンネル又は出力チャンネルを選択する。そして、「イコライザモニタ出力（ＥＱＯＵＴ）」スイッチＳＷ１をオンすることで、該選択した単一のチャンネルについてのイコライザ処理前の信号（入力信号）及びイコライザ処理後の信号（出力信号）を、モニタ出力（ｐｒｅＥＱｏｕｔ及びｐｏｓｔＥＱｏｕｔ）として選択出力する。
【００２１】
モニタ出力として選択された或る単一のチャンネルについてのイコライザ処理前の信号（入力信号）ｐｒｅＥＱｏｕｔ及びイコライザ処理後の信号（出力信号）ｐｏｓｔＥＱｏｕｔは、スペクトルアナライザ５に対して出力される。例えば、入力チャンネル１が選択された場合にはイコライザ処理部ＩＥ１の入力信号ｐｒｅＥＱ１及び出力信号ｐｏｓｔＥＱ１が、モニタ出力用のイコライザ処理前の信号ｐｒｅＥＱｏｕｔ及びイコライザ処理後の信号ｐｏｓｔＥＱｏｕｔとしてセレクタＳＬから出力される。既に述べたようにスペクトルアナライザ５では該モニタ出力の分析が行われ、分析結果であるスペクトルなどの周波数成分の特性がディスプレイ６に表示されるようになっている。このように、「イコライザモニタ出力（ＥＱＯＵＴ）」スイッチＳＷ１と「選択（ＳＥＬ）」スイッチＳＳの操作に応じて、適宜の入力チャンネル又は出力チャンネルにおけるイコライザ処理前の信号とイコライザ処理後の信号のスペクトルをディスプレイ６上に表示することができるようになる。
【００２２】
図１に示したミキサーのＤＳＰ３ではミキシング処理を行う際に、入力チャンネル又は出力チャンネルの各信号それぞれに対してイコライザ処理を行って、信号の周波数成分特性を可変制御できるようになっている。こうした制御を行うミキサ処理は、図１に示したＤＳＰ３が「ミキサ処理」を実現する所定のマイクロプログラムを実行することにより実施される。そこで、この「ミキサ処理」の処理動作について図４を用いて説明する。図４は、「ミキサ処理」の一実施例を示したフローチャートである。以下、図４に示したフローチャートに従って、当該処理の処理動作を説明する。
【００２３】
ステップＳ１では、初期設定値として変数ｉに「１」をセットする。この変数ｉは、入力チャンネル数ｎと出力チャンネル数ｍを合計した総チャンネル数ｎ＋ｍに対応する１〜ｎ＋ｍまでの整数値をとるものである。ステップＳ２では、変数ｉに対応するｉ番目の入力チャンネル又は出力チャンネルの信号の入力処理、つまり信号の取り込みを実行する。ステップＳ３では、当該ｉ番目のチャンネルが選択されているチャンネルであるか否かを判定する。当該ｉ番目のチャンネルが選択されている場合、すなわちコントローラ４ａにおいて当該ｉ番目のチャンネルに対応する「選択（ＳＥＬ）」スイッチＳＳがオンされている場合には（ステップＳ３のＹＥＳ）、「イコライザモニタ出力（ＥＱＯＵＴ）」スイッチＳＷ１がオンされているか否かを判定する（ステップＳ４）。「イコライザモニタ出力（ＥＱＯＵＴ）」スイッチＳＷ１がオンされている場合には（ステップＳ４のＹＥＳ）、当該ｉ番目のチャンネルにおけるイコライザ処理前の信号（ｐｒｅＥＱｉ）をスペクトルアナライザ５に対して出力する（ステップＳ５）。すなわち、セレクタＳＬによるスペクトルアナライザ５に対して送信する信号の選択が行われる。ステップＳ６では、当該ｉ番目のチャンネルの信号に対するイコライザ処理（ＥＱ処理）、つまり周波数成分の特性の変更処理を実行する。
【００２４】
ステップＳ７では、当該ｉ番目のチャンネルが選択されているか否かを判定する。当該ｉ番目のチャンネルが選択されている場合には（ステップＳ７のＹＥＳ）、「イコライザモニタ出力（ＥＱＯＵＴ）」スイッチＳＷ１がオンされているか否かを判定する（ステップＳ８）。「イコライザモニタ出力（ＥＱＯＵＴ）」スイッチＳＷ１がオンされている場合には（ステップＳ８のＹＥＳ）、当該ｉ番目のチャンネルにおけるイコライザ処理後の信号（ｐｏｓｔＥＱｉ）をスペクトルアナライザ５に対して出力する（ステップＳ９）。上記ステップＳ７及びステップＳ８において、前記ステップＳ３及びステップＳ４の処理が共に「ＹＥＳ」である場合には、当該ｉ番目のチャンネルが選択されており、かつ、「イコライザモニタ出力（ＥＱＯＵＴ）」スイッチＳＷ１がオンされている場合であるから、当然に前記ステップＳ７及びステップＳ８の処理も共にＹＥＳとなる。
【００２５】
ステップＳ１０では、イコライザ処理以外のその他のミキシング用の各種信号処理・演算処理を当該チャンネルｉについて実行する。ステップＳ１１では、変数ｉに１を加算する。ステップＳ１２では、全てのチャンネルにおいて当該ミキサ処理が終了したか否かを判定する。全てのチャンネルにおいて当該ミキサ処理が終了したと判定した場合には（ステップＳ１２のＹＥＳ）、その他の信号処理、例えば全てのチャンネルに共通する処理、例えばトータルボリュームのレベル設定などの処理を行ってから（ステップＳ１３）、ステップＳ１の処理に戻り、新たなミキサ処理を実行する。一方、全てのチャンネルにおいて当該ミキサ処理が終了していないと判定した場合には（ステップＳ１２のＮＯ）、ステップＳ２の処理に戻って、次のチャンネルの信号に対して上記ステップＳ２〜ステップＳ１２までの各処理を繰り返し実行する。
【００２６】
なお、上述の図３（ａ）の実施例では全ての出力チャンネル１〜ｍにイコライザ処理部ＯＥ１〜ＯＥｍが設けられているように示したがこれに限らず、一部の出力チャンネルのみにイコライザ処理部が設けられていてもよく、あるいはイコライザ処理部がどの出力チャンネルにも設けられていなくてもよい。また、本発明に従う周波数分析モニタの対象となるミキサーでの信号処理はイコライザ処理に限らず、エフェクト処理など信号の周波数成分特性が処理前と処理後とで変更されるタイプの全ての信号処理に適用可能である。その場合は、当該エフェクト処理に関わるチャンネルのモニタが選択された場合、当該エフェクト処理前の信号とエフェクト処理後の信号とがセレクタＳＬでモニタ出力として選択される。例えば、或る出力チャンネルではイコライザ処理を行い、別の出力チャンネルではエフェクト処理を行うようにしてもよく、その場合でも所望のチャンネルのイコライザ処理又はエフェクト処理の入出力信号をモニタすることができる。
【００２７】
なお、各入出力チャンネルにおける周波数成分の可変制御を行う処理として複数の異なる信号処理、例えばイコライザ処理とエフェクト処理などの処理を複数設けるようにしてよい。その場合、複数の信号処理のうちいずれかの信号処理における入力信号及び出力信号をモニタ出力として選択することは勿論、複数の信号処理のうちいずれかの信号処理を行う前の信号を入力信号として、前記信号処理以外のその他の信号処理後の信号を出力信号として選択的にモニタ出力として選択できるようにしてもよい。
【００２８】
【発明の効果】
以上の通り、この発明によれば、所望の入出力チャンネルにおける周波数成分の特性変更前後の信号波形をモニタできるようにしたことから、ユーザがミキシング調整に際して信号の周波数成分特性に変更をもたらすような調整操作を行う場合に、調整操作と周波数成分特性との関係を把握し易くなる、という優れた効果を奏する。
【図面の簡単な説明】
【図１】この発明に係るディジタルミキシング装置の実施の形態を示すハード構成ブロック図である。
【図２】コントローラの一実施例を示す概念図である。
【図３】ＤＳＰにおける出力信号の決定動作の一例を説明するためのブロック図である。
【図４】ミキサ処理の一実施例を示したフローチャートである。
【符号の説明】
１…ＣＰＵ、２…メモリ、３…ＤＳＰ、３ａ…入力インタフェース、３ｂ…出力インタフェース、４…ミキシングコンソール、４ａ…コントローラ、４ｂ（６）…ディスプレイ、５…スペクトルアナライザ、１Ｄ…通信バス、Ｘ…ディジタルミキシング装置（ミキサー）、ＳＷ１…イコライザモニタ出力（ＥＱＯＵＴ）スイッチ、ＯＰ…操作子群、ＳＳ…選択（ＳＥＬ）スイッチ、Ｃ１…パン（ＰＡＮ）設定操作子、Ｃ２…ハイ（ＨＩＧＨ）設定操作子、Ｃ３…ミッド（ＭＩＤ）設定操作子、Ｃ４…ロー（ＬＯＷ）設定操作子、Ｆ…フェーダ
【図１】
2005051320.tif 000003
【図２】
2005051320.tif 000004
【図３】
2005051320.tif 000005
【図４】
2005051320.tif 000006